(57)【要約】【課題】動画撮影中にストロボ発光して静止画撮影しても、動画の連続性に影響を与えることなく、滑らかな動画を得ることができる電子カメラを提供することを目的とする。【解決手段】動画撮影するためのフレームレートの整数倍のフレームレートで撮像素子を駆動する。例えば、１／３０ｓｅｃ内に動画記録用フレームと静止画記録用フレームを設定し、動画フレームレートが３０ｆｐｓとなるように設定して動画記録用フレーム間に静止画記録用フレームを設定する。これによって、一般的な動画撮影のフレームレート３０ｆｐｓを確保することができる。そして、動画記録用フレームと静止画フレームに分けて別々の処理（例えば、それぞれに応じたゲイン値の設定等）を行う。また、ストロボを使用して静止画撮影する際には、静止画記録用フレームにおける受光期間中（ストロボ最大点灯区間）にストロボを発光する。【選択図】　　　　図３
2004064467.tif 000002
【特許請求の範囲】
【請求項１】
周期的に被写体像をサンプリングして動画記録用フレームと静止画記録用フレームを取得する撮影手段と、
被写体にストロボ光を照射するストロボ手段と、
前記撮影手段による動画撮影を指示する動画撮影指示手段と、
前記撮影手段による静止画撮影を指示する静止画撮影指示手段と、
前記撮影手段によって取得される動画記録用フレームを記憶する動画記憶手段と、
前記撮影手段によって取得される静止画記録用フレームを記憶する静止画記憶手段と、
前記動画撮影指示手段による動画撮影の指示がなされた場合に、動画撮影フレームレートの整数倍のフレームレートで前記サンプリングを行うように前記撮影手段を制御し、動画記録用フレームを抽出して前記動画記憶手段に記憶すると共に、動画撮影中に前記静止画撮影指示手段による静止画撮影の指示がなされた場合に、前記動画記録用フレーム間の静止画記録用フレームのタイミングでストロボ光が被写体に照射されるように前記ストロボ手段を制御し、該静止画記録用フレームを抽出して前記静止画記憶手段に記憶する制御手段と、
を備えた電子カメラ。
【請求項２】
動画記録用フレームと静止画記録用フレームとでそれぞれ異なるゲイン値を設定して信号処理する信号処理手段をさらに備えることを特徴とする請求項１に記載の電子カメラ。
【発明の詳細な説明】
【０００１】
【発明の属する技術分野】
本発明は、電子カメラにかかり、特に、静止画及び動画撮影が可能な電子カメラに関する。
【０００２】
【従来の技術】
近年、簡便に撮影可能なＣＣＤ撮像素子などを有した撮影装置として、電子カメラが数多く流通している。電子カメラは、その撮影時には、レリーズスイッチを操作することをトリガとして、ＣＣＤ撮像素子などで光量に応じた電荷（光電変換）を画素毎に読み取って、画像データに変換した後に、撮影画像を画像データとして磁気記録媒体などの記録媒体に記録している。
【０００３】
また、この種の電子カメラでは、撮影することによって得られる撮影画像を液晶ディスプレイ等の表示装置に再生表示することができ、撮影したその場で、撮影画像を確認することができる。
【０００４】
さらに、電子カメラは、静止画のみならず動画撮影も可能とされるものもあり、動画撮影中にレリーズボタンを操作することによって、静止画撮影が可能な電子カメラも提案されている。例えば、特開２００１−１１１９３４号公報、特開２０００−２８７１２３号公報、及び特開２０００−２９５５２２号公報等に記載の技術が提案されている。
【０００５】
特開２００１−１１１９３４号公報に記載の技術では、動画撮影中にレリーズボタンを操作することによって、動画フレームから静止画フレームを抽出することによって静止画撮影を行い、静止画撮影時に欠落した動画フレームを静止画の前後のフレームを用いて補間することで滑らかな動画記録を実現している。
【０００６】
また、特開２０００−２８７１２３号公報に記載の技術では、上記同様に、動画撮影中にレリーズボタンを操作することによって、動画フレームから静止画フレームを抽出することによって静止画撮影を行う。そして、静止画撮影時にストロボ撮影し、そのとき設定されたゲイン値を静止画撮影直後の静止画撮影直前のフレームのものに置き換えることにより急激なゲイン値の変化を抑制し、明るさの連続した動画を撮影できるようにしている。
【０００７】
また、特開２０００−２９５５２２号公報に記載の技術では、被写体像を光電変換する第１の撮像素子を有する動画用の第１の撮像手段と、第１の撮像素子よりも多い画素数からなる第２の撮像素子を有する静止画用の第２の撮像手段と、動画像データを生成し記録する動画用の第１の記録手段と、静止画像データを生成し記録する静止画用の第２の記録手段と、第１の記録手段と第２の記録手段とを制御する記録制御手段と、補助光発光装置の発光動作を制御する補助光制御手段とを備え、補助光制御手段が、動画像データの記録動作の実行中に補助光発光装置の発光動作を伴なう静止画像データの記録動作を並行して実行するときには、第１の撮像素子が非露光期間にあるときに所定の補助光を発光させるように制御することによって、動画像と静止画像とを同時に並行して撮影記録する際にストロボ装置の発光動作が動画像データに悪影響を及ぼさないようにしている。
【０００８】
【発明が解決しようとする課題】
しかしながら、従来の電子カメラでは、いずれの技術においても静止画撮影時のフレームを動画から抽出するため、抽出したフレームの前後のフレームを用いて補間しても、本来の滑らかな動画を得ることができない、という問題がある。
【０００９】
また、動画撮影中にストロボを使用することによって、明るさの連続性が失われてしまう、という問題がある。
【００１０】
本発明は、上記問題を解決すべく成されたもので、動画撮影中にストロボ発光して静止画撮影しても、動画の連続性に影響を与えることなく、滑らかな動画を得ることができる電子カメラを提供することを目的とする。
【００１１】
【課題を解決するための手段】
上記目的を達成するために請求項１に記載の発明は、周期的に被写体像をサンプリングして動画記録用フレームと静止画記録用フレームを取得する撮影手段と、被写体にストロボ光を照射するストロボ手段と、前記撮影手段による動画撮影を指示する動画撮影指示手段と、前記撮影手段による静止画撮影を指示する静止画撮影指示手段と、前記撮影手段によって取得される動画記録用フレームを記憶する動画記憶手段と、前記撮影手段によって取得される静止画記録用フレームを記憶する静止画記憶手段と、前記動画撮影指示手段による動画撮影の指示がなされた場合に、動画撮影フレームレートの整数倍のフレームレートで前記サンプリングを行うように前記撮影手段を制御し、動画記録用フレームを抽出して前記動画記憶手段に記憶すると共に、動画撮影中に前記静止画撮影指示手段による静止画撮影の指示がなされた場合に、前記動画記録用フレーム間の静止画記録用フレームのタイミングでストロボ光が被写体に照射されるように前記ストロボ手段を制御し、該静止画記録用フレームを抽出して前記静止画記憶手段に記憶する制御手段と、を備えることを特徴としている。
【００１２】
請求項１に記載の発明によれば、撮影手段では、周期的に被写体像がサンプリングされて動画記録用フレームと静止画記録用フレームが取得される。すなわち、撮影手段によって、動画撮影と静止画撮影を行うことができる。
【００１３】
ストロボ手段では、被写体にストロボ光が照射される。例えば、低照度の場合にストロボ光を照射しての静止画撮影を行うことができる。
【００１４】
撮影手段による動画撮影は動画撮影指示手段によって指示され、静止画撮影は静止画撮影指示手段によって指示される。そして、撮影手段によって取得される動画記録用フレームは動画記憶手段に記憶され、静止画記録用フレームは静止画記憶手段に記憶される。
【００１５】
動画撮影指示手段による動画撮影の指示がなされた場合には、制御手段によって、動画撮影フレームレートの整数倍のフレームレートでサンプリングを行うように撮影手段が制御される。これによって動画記録用フレームと静止画記録用フレームを同時に取得することができる。例えば、動画撮影フレームレートの２倍のフレームレートでサンプリングするように撮影手段を制御することによって、サンプリングされたフレームの半分を動画記録用フレームとし、残りを静止画記録用フレームとすることができ、所望のフレームレートの動画を得ることができる。
【００１６】
そして、取得された動画記録用フレームと静止画記録用フレームは、制御手段の制御よって、動画記録用フレームが抽出されて動画記憶手段に記憶される。
【００１７】
また、動画撮影中に静止画撮影指示手段による静止画撮影の指示がなされた場合には、制御手段によって、動画記録用フレーム間の静止画記録用フレームのタイミングでストロボ光が被写体に照射されるようにストロボ手段が制御され、該静止画記録用フレームが抽出されて静止画記録手段に記録される。
【００１８】
このような構成とすることによって、動画撮影中に静止画撮影を行っても、動画記録用フレームを静止画記録用フレームとして抽出せずに、静止画記録用フレームを取得することができるので、滑らかな動画を得ることができる。また、動画記録用フレーム間の静止画記録用フレームでのみストロボ光が被写体に照射されるので、動画の明るさの連続性を損なうことを防止することができる。
【００１９】
従って、動画撮影中にストロボ発光して静止画撮影しても、動画の連続性に影響を与えることなく、滑らかな動画を得ることができる。
【００２０】
請求項２に記載の発明は、請求項１に記載の発明において、動画記録用フレームと静止画記録用フレームとでそれぞれ異なるゲイン値を設定して信号処理する信号処理手段をさらに備えることを特徴としている。
【００２１】
請求項２に記載の発明によれば、請求項１に記載の発明において、信号処理手段をさらに備えており、該信号処理手段によって、動画記録用フレームと静止画記録用フレームはそれぞれ異なるゲイン値が設定されて信号処理される。これによって、動画撮影中にストロボを使用した静止画撮影を行っても、動画と静止画とでそれぞれ異なるゲイン値が設定されるので、静止画撮影前後の動画で明るさが異なることがなく、動画における明るさの連続性を維持することができる。
【００２２】
【発明の実施の形態】
以下、図面を参照して本発明の実施の形態の一例を詳細に説明する。
【００２３】
図１（Ａ）、（Ｂ）に示すように、電子カメラ１０の本体１２は略箱型で、正面から見て左側に、本体１２の把持を容易とするための突起（把持部）が形成された形状とされている。本体１２の正面側中央にはレンズ１４が取り付けられた鏡筒１５が設けられており、本体１２のレンズ１４上方には、低照度での撮影等の場合に補助光を発するためのストロボ１８、ユーザが撮影範囲等を目視で確認するための光学ファインダ１６が取り付けられている。
【００２４】
また、ストロボ１８の近傍の位置には、ストロボ発光時に被写体で反射して戻ってきたストロボ光の光量を検出するストロボ受光センサにストロボ光を導くためのストロボ受光窓３８、及び内蔵されたＡＥセンサに光を導くためのＡＥ受光窓４０が備えられている。
【００２５】
本体１２の上面には、正面から見て右側に電源スイッチ２０が、左側（把持部に対応する位置）にレリーズスイッチ２２が各々設けられており、本体１２の正面から見て右側面には、メモリカード（図示省略）を装填可能なスロット２４が設けられている。
【００２６】
また、レリーズスイッチ２２は、半押しと全押しの２位置に操作可能とされており、半押しすることによって、オートフォーカスの焦点が固定（フォーカスロック）され、全押しすることによって、撮影指示を行うようになっている。
【００２７】
また、電子カメラ１０の正面から見て右側面には、この電子カメラ１０に内蔵に設けられた内蔵メモリやスロット２４に装填されるメモリカードに記録された画像データを外部に送出するためのＵＳＢ（Ｕｎｉｖｅｒｓａｌ　Ｓｅｒｉａｌ　Ｂｕｓ）ケーブルが接続されるＵＳＢ端子４２、及び内蔵メモリやメモリカードに記録された画像データを、携帯電話を使用して外部に送信において、携帯電話との接続時に使用される携帯電話用端子４４が備えられている。
【００２８】
更に、携帯電話用端子４４の下方には、交流電源から電源を得るためのＡＣアダプタを接続するＡＣアダプタ接続口２８が設けられており、交流電源を電子カメラ１０に供給可能なように構成されている。
【００２９】
また、図１（Ｂ）に示すように、本体１２の背面には、透過型液晶（半透過型液晶でもよい）からなるカラーディスプレイ２６が設けられており、ディスプレイ２６は、蛍光管やＬＥＤ等によって構成されるバックライトを備えた構成とされている。なお、ディスプレイ２６は光学ファインダ１６の機能も有する。
【００３０】
本体１２の背面には、向かって右側に、選択スイッチ３４、メニュースイッチ３０、実行／画面切換スイッチ３２、及びキャンセルスイッチ３６が設けられている。なお、選択スイッチ３４は、メニュースイッチ３０を押下することによって表示されたメニュー画面等のモード等を選択するためのスイッチであり、その実行は実行／画面切換スイッチ３２で行う。また、キャンセルスイッチ３６は種々のモード等をキャンセルするためのスイッチである。
【００３１】
さらに、本体１２の背面には、撮影モードを切り替える撮影モード切替スイッチ８２が設けられており、該撮影モード切替スイッチ８２を操作することによって、静止画を撮影する静止画撮影モードと、動画を撮影する動画撮影モードと、静止画撮影と動画撮影を同時に行う同時撮影モードと、の切り替えを行うようになっている。
【００３２】
図２には電子カメラ１０の電気系の構成が示されている。レンズ１４は、詳しくはズームレンズ（焦点距離可変レンズ）からなり、ズーム機構は駆動回路４６によって駆動される。また、オートフォーカス（ＡＦ）機構４７も備え、ＡＦ機構４７も同様に駆動回路４６によって駆動される。なお、ズームレンズに代えて、ＡＦ機構４７のみを備えた焦点距離可変レンズを用いてもよい。
【００３３】
本体１２の内部におけるレンズ１４の焦点位置に相当する位置には、撮影手段としてのエリアＣＣＤセンサ等で構成される撮像素子５０が配置されており、被写体を反射してレンズ１４に入射された光は撮像素子５０の受光面に結像される。撮像素子５０は、受光面上にマトリクス状に配列された多数個の光電変換セルの各々における受光量を表すアナログ信号を画像信号として出力する。撮像素子５０は、駆動回路４６に接続されているタイミング信号発生部によって発生されたタイミング信号に同期したタイミングで駆動されて画像信号を出力する。
【００３４】
レンズ１４と撮像素子５０との間には絞り４８が配置されている。絞りは連続的に変更可能な単一な絞りで構成してもよいし、絞り量が異なる複数の絞りを切り替える構成としてもよい。
【００３５】
タイミング信号発生部５２には、さらにストロボ１８の発光を制御するストロボ制御回路５４も接続されており、ストロボ１８は低照度であることが検出された場合や、ユーザによって発光が指示された場合にタイミング信号発生部５２によって発生されたタイミング信号に同期したタイミングで発光制御される。
【００３６】
撮像素子５０の信号出力端には、サンプリング部５６、Ａ／Ｄ変換器５８、信号処理部６０、メモリ６２、及び圧縮／伸張部６４が順に接続されており、それぞれシステムバス６８に接続され、システムバス６８に接続されたシステム制御部７０によって統括的に制御されるようになっている。
【００３７】
サンプリング部５６では、撮像素子５０から出力された画像信号をタイミング信号発生部５２によって発生されたタイミング信号に同期したタイミングでサンプリングすると共に、増幅してＡ／Ｄ変換器５８へ出力する。サンプリング部５６は、図示しないＣＤＳ（Ｃｏｒｒｅｌａｔｅｄ　Ｄｏｕｂｌｅ　Ｓａｍｐｌｉｎｇ：相関二重サンプリング：以下ＣＤＳという）部を含んで構成されている。ＣＤＳ部は、例えば、ＣＣＤ型の撮像素子を用いて、基本的にその素子により生じる各種のノイズをタイミング信号発生部からのタイミング信号によりクランプするクランプ回路と、タイミング信号によりアナログ電圧信号をホールドするサンプルホールド回路を有する。ＣＤＳ部は、ノイズ成分を除去してアナログの出力信号として画像信号をＡ／Ｄ変換器５８に送る。サンプリング部５６から出力された画像信号は、Ａ／Ｄ変換器５８によってデジタルの画像データに変換されて信号処理部６０へ入力される。信号処理部６０では、入力された画像データに対して色補正・γ補正・Ｙ／Ｃ変換等の各種処理を行う。信号処理部６０から出力された画像データは、ＲＡＭ等で構成されたメモリ６２に一時記録される。そして、レリーズスイッチ２２の操作がなされた場合に、圧縮／伸張部６４で圧縮されてから内蔵メモリ８４又はスロット２４に装填されたメモリカード８０に格納されるようになっている。
【００３８】
また、システムバス６８には、ディスプレイ２６も接続され、撮影によって得られる画像データに基づく画像の表示が可能とされている。
【００３９】
さらに、システムバス６８には、上述のＵＳＢ端子４２、携帯電話用端子４４、音声を録音するためのマイク６６、及びレリーズスイッチ２２や撮影モード切替スイッチ８２を含む各種操作スイッチ（メニュースイッチ３０、実行／画面切換スイッチ３２、選択スイッチ３４、キャンセルスイッチ３６等）７４が接続された入出力インターフェース（Ｉ／Ｆ）７６が接続されており、各種操作スイッチ７４の操作に応じた制御がなされるようになっている。
【００４０】
すなわち、レリーズスイッチ２２が操作された等により、内蔵メモリ８４又はスロット２４に装填されたメモリカード８０への画像データの格納が指示された場合、システム制御部７０はメモリ６２に一時記録されている画像データを読み出して圧縮／伸張部６４へ転送する。これにより、画像データは圧縮／伸張部６４で圧縮された後に内蔵メモリ８４又はメモリカード８０に格納される。なお、撮影する際のモードによって画像デーがが圧縮されることなく内蔵メモリ８４又はメモリカード８０に格納される場合もある。
【００４１】
また、内蔵メモリ８４又はスロット２４に装填されたメモリカード８０に格納されている画像データが表す画像の再生（表示）が指示された場合には、内蔵メモリ８４又はスロット２４に装填されたメモリカード８０から画像データが読み出され、読み出された画像データが圧縮／伸張部６４で伸張（解凍）された後、メモリ６２に一時記録される。そして、メモリ６２に一時記録された画像データを用いてディスプレイ２６への画像の表示（再生）が行われる。
【００４２】
ところで、本実施の形態に係わる電子カメラ１０では、上述の撮影モード切替スイッチ８２の操作に応じて静止画撮影及び動画撮影が可能とされており、加えて、動画撮影中にレリーズスイッチ２２を操作することによって静止画撮影を行うことが可能な同時撮影モードを有する。
【００４３】
同時撮影モードにおける動画撮影中の静止画撮影は、詳細には、図３に示すように、駆動回路４６及びサンプリング部５６が撮像素子５０による受光及び受光した画像信号のデータ転送を周期的に行うように撮像素子５０を駆動する。この時、駆動回路４６及びサンプリング部５６は、動画撮影するためのフレームレートの整数倍のフレームレートで撮像素子５０を駆動するようになっており、本実施の形態では、１／３０ｓｅｃ内に動画記録用フレームと静止画記録用フレームを有し、動画記録用フレームレートが３０ｆｐｓとなるように設定され、動画記録用フレーム間に静止画記録用フレームが設定されている。すなわち、本実施の形態では、１／６０ｓｅｃの動画記録用フレームと静止画記録用フレーム得ることができ、一般的な動画撮影のフレームレート３０ｆｐｓを確保することができる。そして、信号処理部６０によって、動画記録用フレームと静止画記録用フレームに分けて別々の処理（例えば、それぞれに応じたゲイン値の設定等）が行われるようになっている。
【００４４】
また、ストロボ制御回路５４は、ストロボ１８を使用して静止画撮影する際には、上述の静止画記録用フレームにおける受光期間中にストロボ１８を発光するようにストロボ１８を駆動するようになっており、ストロボ最大点灯区間が設定されている。すなわち、静止画記録用フレーム中にストロボ発光が終了するようになっており、動画記録用フレームに残光がないように駆動する。
【００４５】
また、メモリ６２及び内部メモリ８４は、動画記録用領域と静止画記録用領域を有し、それぞれに対応した画像データが記憶されるようになっている。なお、領域分割でなく、動画記録用メモリと静止画記録用メモリを備えるようにしてもよい。
【００４６】
さらに、上述のようにして得られる動画記録用フレームと静止画記録用フレームは、信号処理部６０にてそれぞれに応じたゲイン値が設定されるようなっている。すなわち、動画用記録用フレームと静止画用記録用フレームとで異なるゲイン値が設定されるので、動画撮影中における静止画撮影時にストロボ１８を使用してもストロボ１８の影響を動画に与えることがなくなる。
【００４７】
なお、信号処理部６０では、動画記録用フレームと静止画記録用フレームそれぞれ異なるゲイン値が設定される。換言すれば、動画用のゲイン値と静止画用のゲイン値が予め設定されるようになっている。
【００４８】
続いて、上述のように構成された電子カメラの同時撮影モード時の動作について図４のフローチャートを参照して説明する。
【００４９】
ステップ１００では、撮像素子５０の撮影によって得られる画像データが表す画像がディスプレイ２６に表示され、ステップ１０２へ移行する。
【００５０】
ステップ１０２では、レリーズスイッチ等の操作によって動画撮影開始が指示されたか否か判定される。該判定が否定されると後述するステップ１１８へ移行し、肯定されるとステップ１０４へ移行して、画像データが取得される。すなわち、動画撮影するためのフレームレートの整数倍のフレームレート（本実施の形態では、６０ｆｐｓ）で撮像素子５０が駆動され、動画撮影が開始される。
【００５１】
そして、ステップ１０６では、信号処理部６０によって、図３に示すように、６０ｆｐｓのフレームレートで取得される画像データのうち、３０ｆｐｓの動画用記録用フレームが抽出されてメモリ６２に記録される。なお、動画用記録用フレームは、メモリ６２の動画記録用領域に記録される。また、動画記録用フレームは、信号処理部６０で動画用のゲイン値が設定される。
【００５２】
ここで、ステップ１０８では、レリーズスイッチ２２がオンされたか否か判定される。すなわち、動画撮影中に静止画撮影指示がなされたか否か判定される。該判定が肯定された場合には、ステップ１１０へ移行し、否定された場合には、後述するステップ１１８へ移行する。
【００５３】
ステップ１１０では、低照度か否か判定される。該判定は、例えば、ＡＥセンサの出力に基づいて判定することが可能である。該判定が肯定された場合には、ステップ１１２へ移行して、ストロボ制御回路５４によって、図３に示すストロボ最大発光区間内のタイミングでストロボ１８が発光するように制御されて、ステップ１１４し、信号処理部６０によってストロボ最大発光区間内に相当する静止画記録用フレームが取得される。これによって、動画撮影中に静止画撮影を行うことができる。
【００５４】
一方、ステップ１１０の判定が否定された場合には、そのままステップ１１４へ移行して、信号処理部６０によって静止画記録用フレームが取得される。
【００５５】
すなわち、本発明の実施の形態に係わる電子カメラ１０では、動画撮影するためのフレームレートの整数倍のフレームレートで撮影し、静止画記録用フレームを抽出するので、動画を所望のフレームレートで撮影することができると共に、動画記録用フレームから静止画を抽出することなく静止画記録用フレームを抽出でき、滑らかな動画を維持したまま動画撮影中に静止画を撮影することができる。さらに、ストロボ１８は、静止画記録用フレーム内でのみ発光されるので、動画記録用フレームに光が残ることがなく、動画の明るさの連続性を保つことができる。
【００５６】
ステップ１１４で取得された静止画記録用フレームは、ステップ１１６でメモリ６２に記録される。すなわち、メモリ６２の静止画用記録領域に静止画記録用フレームが記録される。なお、静止画記録用フレームは、信号処理部６０で静止画用のゲイン値が設定される。
【００５７】
ステップ１１８では、撮影終了か否か判定される。該判定は、例えば、撮影モード切替スイッチ８２の操作や、レリーズスイッチ２２の所定時間以上の操作等を検出することによって肯定されて同時撮影モードを終了し、該判定が否定された場合には、上述のステップ１０４へ戻って、同時撮影モードが継続され、動画撮影が続けて行われる。
【００５８】
このように、本発明の実施の形態に係わる電子カメラ１０は、動画記録するためのフレームレートの整数倍のフレームレートで撮影し、動画記録用フレームに用いないフレームを静止画記録用フレームとして撮影するので、動画撮影中の静止画撮影において、動画の滑らかさを失うことなく静止画撮影することができる。また、静止画記録用フレームと動画記録用フレームそれぞれで異なるゲイン値が設定されるので、動画記録用フレームの明るさの連続性も維持することができる。さらには、ストロボ１８を使用する際にも、静止画記録用フレーム内で発光が完結するように制御するので、ストロボ１８使用時の静止画撮影でも、動画記録用フレームの明るさの連続性を維持することができる。
【００５９】
なお、上記の実施の形態では、同時撮影モード時に動画撮影及び静止画撮影を同時に行うようにしたが、特に同時撮影モードを設けることなく、動画モードの時に、図４に示すフローチャートのように、静止画撮影も可能とするようにしてもよい。
【００６０】
また、上記の実施の形態では、動画撮影するためのフレームレートの整数倍のフレームレートとして、動画撮影のフレームレートを３０ｆｐｓを一例として２倍のフレームレート（６０ｆｐｓ）としたが、これに限るものではなく、例えば、３倍のフレームレートで撮影し、撮影したフレームの１／３を動画記録用フレームとして、残りの２／３を静止画記録用フレームレートとするようにしてもよい。
【００６１】
【発明の効果】
以上説明したように本発明によれば、動画撮影フレームレートの整数倍のフレームレートで撮影して、動画記録用フレームを抽出して記憶すると共に、動画撮影中の静止画撮影時には、動画記録用フレーム間の静止画記録用フレームでストロボ光を照射して、静止画記録用フレームを抽出して記憶するので、動画撮影中にストロボ発光して静止画撮影しても、動画の連続性に影響を与えることなく、滑らかな動画を得ることができる、という効果がある。
【図面の簡単な説明】
【図１】本発明の実施の形態に係わる電子カメラの外観を示す斜視図である。
【図２】本発明の実施の形態に係わる電子カメラの電気系の構成を示すブロック図である。
【図３】動画記録用フレームと静止画記録用フレームを示す概念図である。
【図４】本発明の実施の形態に係わる電子カメラの同時撮影モード時の動作を示すフローチャートである。
【符号の説明】
１０　　電子カメラ
１８　　ストロボ
２２　　レリーズスイッチ
４６　　駆動回路
５０　　撮像素子
５２　　タイミング信号発生部
５４　　ストロボ制御回路
５６　　サンプリング部
６０　　信号処理部
６２　　メモリ
７０　　システム制御部
【図１】
2004064467.tif 000003
【図２】
2004064467.tif 000004
【図３】
2004064467.tif 000005
【図４】
2004064467.tif 000006